(57)【特許請求の範囲】
【請求項１】
商用電源からの供給電力に基づいて負荷を駆動するインバータ装置において、
前記商用電源から電力が供給されているときに動作するインバータ主回路と、
制御電源電圧の供給を受けて動作する制御回路と、
前記商用電源から電力が供給されているときには、当該商用電源を用いて前記制御電源電圧を生成すると共に、生成した制御電源電圧を前記制御回路および外部にある他のインバータ装置に対して出力する電源回路と、
前記商用電源から電力が供給されているときには、前記電源回路が生成した前記制御電源電圧を前記制御回路および他のインバータ装置に供給するように動作し、前記商用電源から電力が供給されていないときには、他のインバータ装置で生成された制御電源電圧を内部に引き込んで前記制御回路に供給するように動作する供給制御回路と、
を備えたことを特徴とするインバータ装置。
【請求項２】
前記外部で生成された制御電源電圧が、他のインバータ装置の内部回路用電源によって生成された制御電源電圧であることを特徴とする請求項１に記載のインバータ装置。
【請求項３】
前記商用電源による電力供給の有無を検出する検出回路を備え、
前記検出回路の検出結果に応じて前記供給制御回路を制御することを特徴とする請求項１または２に記載のインバータ装置。
【請求項４】
商用電源からの供給電力に基づいて負荷を駆動するインバータ装置を複数台備えたインバータシステムにおいて、
前記各インバータ装置は、
制御電源電圧の供給を受けて動作する制御回路と、
前記商用電源から電力が供給されているときには、当該商用電源を用いて前記制御電源電圧を生成し、生成した制御電源電圧を前記制御回路および外部にある他のインバータ装置に対して出力する電源回路と、
前記商用電源から電力が供給されているときには、前記電源回路が生成した前記制御電源電圧を前記制御回路および他のインバータ装置に供給するように動作し、前記商用電源から電力が供給されていないときには、他のインバータ装置で生成された制御電源電圧を内部に引き込んで前記制御回路に供給するように動作する供給制御回路と、
備えたことを特徴とするインバータシステム。
【請求項５】
商用電源からの供給電力に基づいて負荷を駆動するとともに、前記商用電源を用いて生成される内部回路用電源による電源電圧の供給を受けて、外部との間で通信線を介した各種情報の授受が可能となるように構成されたインバータ装置との接続用に供されるインバータ装置用コネクタであって、
前記インバータ装置との接続用として設けられ、前記インバータ装置内の通信回路との電気的接続がなされる第１の通信端子と、
前記インバータ装置との接続用として設けられ、前記内部回路用電源との電気的接続がなされる第１の電源端子および制御端子と、
外部通信線との接続用として設けられた第２の通信端子と、
外部制御電源線との接続用として設けられた第２の電源端子と、
前記第１の電源端子と前記第２の電源端子との間に設けられ、前記制御端子を通じて入力された制御信号に基づき、前記商用電源から電力が供給されていないときには、前記外部制御電源線から前記第２の電源端子を通じて入力された制御電源電圧を前記第１の電源端子を通じて前記インバータ装置に供給するように動作し、前記商用電源から電力が供給されているときには、前記インバータ装置から前記第１の電源端子を通じて入力された前記内部回路用電源が生成した制御電源電圧を前記第２の電源端子を通じて外部に供給するように動作する供給制御回路と、
を備えたことを特徴とするインバータ装置用コネクタ。
【発明の詳細な説明】
【技術分野】
【０００１】
本発明は、モータなどの負荷に電力を供給するインバータ装置、およびインバータ装置を複数台備えたインバータシステム、ならびにインバータ装置との接続用に供されるインバータ装置用コネクタに関するものである。
【背景技術】
【０００２】
先行技術に見受けられるインバータ装置の概要について説明する。インバータ装置は、例えば誘導電動機を商用電源にて可変速駆動するための駆動装置である。このため、インバータ本体内においては、インバータ主回路として、商用電源に接続されたコンバータ部、突入電流抑制抵抗、誘導電動機に接続されたインバータ部、およびこのインバータ部のスイッチング素子をオン／オフ制御するためのインバータ駆動ＩＣなどが設けられている。
【０００３】
また、インバータ装置では、商用電源の電力からインバータ本体内にて制御電源が作り出される。具体的には、商用電源電圧を整流して直流電圧に変換し、変換された直流電圧にてコンデンサを充電し、充電されたコンデンサ電圧を用いてトランジスタにてオン／オフ制御し、オン／オフ制御によって発生する電圧を電源トランスを介して降圧することで、必要とする各種制御電源が生成される。
【０００４】
なお、制御電源としては、例えばインバータ主回路内においては、インバータ駆動ＩＣ用の制御電源、突入電流抑制抵抗を短絡するリレー用の制御電源であり、インバータ本体内においては、ＲＯＭやマイコンを有するインバータ制御部用の制御電源、マイコンを有する内部オプションの制御電源であり、インバータ本体外においては、マイコンを有するパラメータユニット用の制御電源である。
【０００５】
また、インバータ装置では、インバータ本体内にて生成された各種制御電源が、インバータ本体を含むインバータ装置内のマイコンやその周辺回路に接続され、インバータ制御部、パラメータユニット、内部オプションなどにおける各相互間の通信が可能となっている。
【０００６】
ところで、上述のインバータ装置では、商用電源から各種制御電源を生成しているので、これらの各制御電源を用いてインバータ装置内のマイコンやその周辺回路での設定状態を確認したり変更したりする場合、すなわち、インバータ主回路を駆動させる必要がない場合であっても、商用電源をインバータ本体に接続する必要があった。したがって、インバータ装置が故障している場合、あるいはインバータ装置の移動中やインバータ装置の設置中などの場合、すなわち、インバータ本体に商用電源が接続できない場合には、各々のマイコンやその周辺回路に給電が行われずパラメータユニットや内蔵オプション相互間の通信を確立することができなかった。すなわち、インバータ本体に商用電源が接続できない状態では、インバータ装置のマイコンや周辺回路での設定状態を確認したり変更したりすることができなかった。
【０００７】
なお、上記インバータ装置のように商用電源などの主電源以外に、制御電源などの補助電源を有する装置として、例えば下記特許文献１，２などに示されたものがある。
【０００８】
例えば、特許文献１に示された省電力装置では、電気機器の待機状態における電力消費量を節減する発明が記載され、温水洗浄装置や暖房便座やリモコン部などの周辺装置が接続される制御基板に各電気部品を制御するマイコンが組込まれており、このマイコンには商用電源に接続される主電源と補助電源とが接続されている。このような電源構成において、電源スイッチがオフのとき、商用電源と主電源とは切断されて待機状態となり、この待機状態においては補助電源によってマイコンのみに給電が維持され、その後、電源スイッチがオンになるとマイコンから電源スイッチに信号が送られ商用電源と主電源の接続が復帰するように動作することが記載されている。
【０００９】
また、特許文献２に示される電源装置では、オプション機器側に給電する電源系統に異常が生じた場合にオプション機器への駆動系電源のみを遮断し、制御系電源のみを接続する発明が記載されている。すなわち、オプション機器側の駆動系電源の電圧や電流を監視し、異常があると、オプション機器側の電源系統を停止し、その代わり本体側電源系よりオプション機器制御系電源を供給することが記載されている。
【００１０】
【特許文献１】特開平１１−１４６５７３号公報
【特許文献２】特開２０００−９２７４４号公報
【発明の開示】
【発明が解決しようとする課題】
【００１１】
上記特許文献１に示される省電力装置では、電源は制御基板のマイコンのみに接続される構成のため、洗浄トイレのように周辺機器が近くにある場合には問題点は生じない。しかしながら、周辺機器がマイコンから離れている場合には、制御部であるマイコンにのみ制御電源が供給され周辺機器には電源が供給されないので、周辺機器についての操作が不可能になるという課題があった。すなわち、特許文献１では、商用電源が主電源に供給されない限り、周辺機器には電源が供給されないという課題があった。
【００１２】
また、特許文献２に示される電源装置では、駆動系電源は停止していても通信系電源が残り、本体とオプション機器との間の通信が継続可能とはなるものの、オプション機器への電源供給は商用電源が必要であり、商用電源がない場合には、オプション機器は本体と通信することができないという課題があった。
【００１３】
本発明は、上記に鑑みてなされたものであって、商用電源が接続できず、自己の制御電源が遮断状態においても、マイコンや周辺機器に対する電源供給を可能とするインバータ装置、インバータシステムおよびインバータ装置用コネクタを提供することを目的とする。
【課題を解決するための手段】
【００１４】
上述した課題を解決し、目的を達成するため、本発明にかかるインバータ装置は、商用電源からの供給電力に基づいて負荷を駆動するインバータ装置において、前記商用電源から電力が供給されているときに動作するインバータ主回路と、前記商用電源を用いて生成される内部回路用電源と、前記商用電源から電力が供給されているときには、前記内部回路用電源が生成した制御電源電圧を外部に供給するように動作し、前記商用電源から電力が供給されていないときには、外部で生成された制御電源電圧を内部に引き込むように動作する供給制御回路と、前記内部回路用電源または前記外部で生成された制御電源電圧の供給を受けて動作する制御回路と、を備えたことを特徴とする。
【発明の効果】
【００１５】
本発明にかかるインバータ装置によれば、インバータ装置内に具備される供給制御回路は、商用電源から電力が供給されているときには、内部回路用電源が生成した制御電源電圧を外部に供給するように動作し、商用電源から電力が供給されていないときには、外部で生成された制御電源電圧を内部に引き込むように動作するので、商用電源が接続できない場合や、自己の制御電源が遮断状態であっても、マイコンや周辺機器に対する電源供給が可能になるという効果を奏する。
【発明を実施するための最良の形態】
【００１６】
以下に添付図面を参照して、本発明に好適なインバータ装置、インバータシステムおよびインバータ装置用コネクタにかかる実施の形態を詳細に説明する。なお、以下に示す実施の形態により本発明が限定されるものではない。
【００１７】
＜実施の形態１＞
図１は、本発明の実施の形態１にかかるインバータ装置の構成を示す図である。図１に示すように、実施の形態１にかかるインバータ装置１０は、交流遮断スイッチ５４を介し交流電源５０から供給された交流電力に基づき負荷として接続されたモータ５２を駆動するための構成として、コンバータ２０、平滑コンデンサ２２、インバータ主回路（以下単に「主回路」という）１２、内部回路用電源１４、制御回路１６および供給制御回路１８を備えて構成されている。
【００１８】
コンバータ２０は、例えば複数のダイオードがフルブリッジ回路を構成し、交流電源５０からの３相交流出力を直流出力に変換する。平滑コンデンサ２２は、コンバータ２０によって変換された直流電圧を蓄積し、内部回路用電源１４に出力する。
【００１９】
内部回路用電源１４は、一次巻線および複数の二次巻線を有するトランス１４ａを備えている。内部回路用電源１４では、平滑コンデンサ２２からの印加電圧が入力される一次巻線および一次巻線に挿入されるスイッチング素子（以下「ＳＷ素子」と表記）１４ｆを含んで電源制御部１４ｂが構成されるとともに、各二次巻線をそれぞれ含んで主回路電源１４ｃ、制御回路電源１４ｄおよび供給制御回路電源１４ｅが構成される。主回路電源１４ｃ、制御回路電源１４ｄおよび供給制御回路電源１４ｅの出力電圧は、一次巻線と各二次巻線との巻数比に基づき、ＳＷ素子１４ｆを好適に制御することにより所望の直流電圧に制御される。
【００２０】
主回路１２は、ブリッジ接続されたＳＷ素子を有するＳＷ素子回路１２ａおよびＳＷ素子制御回路１２ｂを備えており、ＳＷ素子制御回路１２ｂがＳＷ素子回路１２ａの各ＳＷ素子を例えばＰＷＭ制御することで、主回路電源１４ｃから印加された直流電圧を所望の交流電圧に変換してモータ５２に出力する。なお、ＳＷ素子回路１２ａを構成するＳＷ素子としては、例えば逆並列ダイオードが内蔵されたＩＧＢＴ素子が好適である。
【００２１】
制御回路１６は、ＣＰＵ１６ａ、メモリ１６ｂおよび通信回路１６ｃを備えている。ＣＰＵ１６ａは、インバータ装置全体の制御を行う。メモリ１６ｂは、インバータ装置の動作状態を監視した監視情報、インバータ装置に対する設定情報などの各種情報を保持する。通信回路１６ｃは、通信信号線２６と接続され、メモリ１６ｂに記憶されている監視情報、設定情報の読み出しや、メモリ１６ｂに対する設定情報の書き込みなどを行う。
【００２２】
供給制御回路１８は、例えばＦＥＴ１８ａａとダイオード１８ａｂとが逆並列に接続されたＳＷ素子１８ａを備えている。ＳＷ素子１８ａの一端は制御回路１６および内部回路用電源１４の制御回路電源１４ｄに接続され、他端は共通制御電源線２４に接続され、また、制御端（ＦＥＴ１８ａａのゲート端）は内部回路用電源１４の供給制御回路電源１４ｅに接続されている。供給制御回路１８の機能は、制御電源の供給源内部と外部とで切り替えることにあるが、当該機能の詳細については後述する。
【００２３】
つぎに、実施の形態１のインバータ装置における要部動作について、図１を参照して説明する。
【００２４】
まず、インバータ装置１０に交流電源が印加されているときには、内部回路用電源１４の制御回路電源１４ｄで生成された電源電圧が制御回路１６に供給されるとともに、供給制御回路１８のＳＷ素子１８ａにおけるダイオード１８ａｂを介して共通制御電源線２４に供給される（図示の矢印線２５ａを参照）。なお、ＦＥＴ１８ａａのゲート端には、供給制御回路電源１４ｅによる制御電圧（正電圧）が印加されるが、ＦＥＴ１８ａａはＰ型であるためオフに制御される。
【００２５】
また、インバータ装置１０に交流電源が印加されていないときには、主回路電源１４ｃ、制御回路電源１４ｄおよび供給制御回路電源１４ｅには出力電圧が発生しない。この場合、主回路１２および制御回路１６に対する内部回路用電源１４からの電圧供給は絶たれる。一方、ＦＥＴ１８ａａのゲート端には供給制御回路電源１４ｅによる制御電圧が印加されないので、Ｐ型であるＦＥＴ１８ａａはオンに制御される。その結果、制御回路１６に対しては、供給制御回路１８のＳＷ素子１８ａにおけるＦＥＴ１８ａａを介して共通制御電源線２４による制御電源が供給される（図示の矢印線２５ｂを参照）。
【００２６】
なお、供給制御回路１８については、図示の構成に限定されるものではない。肝要な点は、交流電源の供給が遮断されたときに、外部制御電源である共通制御電源線２４から供給された電源電圧をインバータ装置の内部に引き込むことができればよく、この機能を具現する任意の構成を採用することができる。
【００２７】
このように、実施の形態１のインバータ装置によれば、交流電源がオフのときであっても、インバータ装置内部の所要の構成部（図１の例では、制御回路１６）に対して外部制御電源の供給が可能となる。その結果、インバータ装置に交流電源が接続されていない場合であっても、インバータ装置内部のメモリに記憶されている設定情報の読み出しや、書き込みが可能となる。また、制御回路１６に電源電圧が供給されているため、ＣＰＵ１６ａは動作可能であり、メモリ１６ｂに記憶されていない情報の読み出しも可能となる。
【００２８】
また、インバータ装置では、メンテナンスを行う際には安全上の観点から、交流電源をオフにして作業を行うことが通常である。このとき、例えば、停止時の動作情報や設定情報などを確認したい場合などがある。従来のインバータ装置では、交流電源を再度オンにするか、あるいは外部電源などの装置を携行して制御回路に電源電圧を供給するなどの作業が必要であり、作業効率の低下を余儀なくされていた。
【００２９】
しかしながら、この実施の形態のインバータ装置では、インバータ装置における駆動系回路（図１の例では主回路１２）に電源電圧を供給することなく、制御系回路（図１の例では制御回路１６）のみに電源電圧を供給する機能を、交流電源を遮断することのみで実現できるので、メンテナンス作業の安全かつ円滑な遂行が可能となる。
【００３０】
また、この実施の形態のインバータ装置では、交流電源がない状態でもインバータ装置に対する設定を行うことができるので、インバータ装置を現場に設置することなく、例えば倉庫内での事前設定あるいは事前確認等の作業も可能となる。
【００３１】
なお、上記の説明では、交流電源をオフにして作業を行う場合について説明したが、停電などによって交流電源が供給されていない場合に適用できることは無論である。
【００３２】
以上説明したように、この実施の形態のインバータ装置によれば、インバータ装置に設けられた供給制御回路は、交流電源からの電力が供給されているときには、内部回路用電源が生成した制御電源電圧を共通制御電源線に供給するように動作し、交流電源からの電力が供給されていないときには、共通制御電源線を通じて供給される制御電源電圧を内部に引き込むように動作するので、商用電源が接続できない場合や、制御電源が遮断状態であっても、ＣＰＵ、メモリ、通信回路等に対する電源供給が可能となる。
【００３３】
＜実施の形態２＞
図２は、本発明の実施の形態２にかかるインバータシステムの構成を示す図であり、複数台のインバータ装置を通信信号線を介して監視・制御するシステムの一態様を示すものである。
【００３４】
図２において、複数台のインバータ装置１０ａ〜１０ｃ（図２では３台を例示）は、実施の形態１で説明したインバータ装置１０と、同一または同等の構成および機能を有するものである。このインバータシステムでは、インバータ装置１０ａ〜１０ｃの各制御電源線２８ａ〜２８ｃは共通制御電源線２４に接続され、各通信線２９ａ〜２９ｃは通信信号線２６に接続されるとともに、各入力端には、それぞれ交流電源５０ａ〜５０ｃからの交流電力が供給されている。
【００３５】
つぎに、実施の形態２にかかるインバータシステムの要部動作について、図１および図２を参照して説明する。
【００３６】
いま、図２に示すように、インバータ装置１０ａ，１０ｃには交流電源が供給され、インバータ装置１０ｂには交流電源が供給されない場合を考える。この場合、インバータ装置１０ａ，１０ｃの各供給制御回路１８は、内部で生成された制御電源電圧を外部に供給するように動作する。その結果、インバータ装置１０ａ，１０ｃの内部で生成された制御電源電圧は、共通制御電源線２４に供給される（図示の矢印線２７ａ，２７ｂを参照）。
【００３７】
一方、インバータ装置１０ｂには交流電源が供給されていないので、インバータ装置１０ｂの供給制御回路１８は、外部の制御電源電圧を自身の内部に引き込むように動作する。その結果、共通制御電源線２４に供給されている制御電源電圧は、供給制御回路１８を介してインバータ装置１０ｂに供給される（図示の矢印線２７ｃを参照）。
【００３８】
複数台のインバータ装置が通信にて監視・制御するように構成されたインバータシステムでは、一部のインバータ装置が駆動状態にあり、残りのインバータ装置がスタンバイ状態にあるとき、スタンバイ状態のインバータ装置が誤って動作しないように、交流電源をオフに制御することが通常である。このとき、スタンバイ状態のインバータ装置に対し、例えば停止時の動作情報や設定情報などを確認したい場合などがある。従来のインバータシステムでは、交流電源を再度オンにするか、あるいは外部電源などの装置を携行して制御回路に電源電圧を供給するなどの作業が必要であり、作業効率の低下を余儀なくされていた。
【００３９】
一方、この実施の形態のインバータシステムでは、スタンバイ状態のインバータ装置の駆動回路に電源電圧を供給することなく監視・制御する機能を、交流電源を遮断することのみで実現できるので、メンテナンス作業の安全かつ円滑な遂行が可能となる。
【００４０】
このように、実施の形態２のインバータシステムによれば、一部のスタンバイ状態のインバータ装置においても、通信の継続が可能であり、当該インバータ装置内部のメモリに記憶されている設定情報の読み出しや書き込みが可能となり、さらには、メモリに記憶されていない情報の読み出しも可能となる。
【００４１】
以上説明したように、この実施の形態のインバータシステムによれば、各インバータ装置に設けられた供給制御回路は、交流電源からの電力が供給されているときには、内部回路用電源が生成した制御電源電圧を共通制御電源線に供給するように動作し、交流電源からの電力が供給されていないときには、通制御電源線を通じて供給される制御電源電圧あるいは他のインバータ装置の内部回路用電源が生成した制御電源電圧を内部に引き込むように動作するので、商用電源が接続できない場合や、制御電源が遮断状態であっても、ＣＰＵ、メモリ、通信回路等に対する電源供給が可能となる。
【００４２】
＜実施の形態３＞
図３は、本発明の実施の形態３にかかるインバータ装置の構成を示す図である。図３において、実施の形態３にかかるインバータ装置１０Ａは、図１に示した実施の形態１のインバータ装置１０の構成において、交流電源５０からコンバータ２０に供給される交流電圧を検出する交流電圧検出回路３０と、交流電圧検出回路３０の検出電圧をＳＷ素子１８ａのＦＥＴ１８ａａに印加するための絶縁回路３２と、を備えている。絶縁回路３２は、検出された交流電圧がＳＷ素子１８ａに直接印加されないようにする機能部であり、例えばフォトカプラなどを用いて構成される。なお、その他の構成部については、実施の形態１の構成と同一または同等であり、その詳細な説明を省略する。
【００４３】
図３において、内部回路用電源１４からＦＥＴ１８ａａの一端に向かう電源線２３ａは、例えば５Ｖの電源線であり、また、内部回路用電源１４および絶縁回路３２の各々からＦＥＴ１８ａａの制御端に向かう制御線２３ｂは、例えば１５Ｖの制御線である。
【００４４】
図１のように、ＦＥＴ１８ａａの導通を制御する制御信号が内部回路用電源１４のみから供給される構成の場合、ＦＥＴ１８ａａが導通するよりも、内部回路用電源１４から電源線２３ａを通じて供給される制御電圧の立ち下がりの方が早くなる場合も想定される。この場合、ＣＰＵ１６ａに対する制御電圧の供給が遅延し、一時的な瞬断状態が生じてしまう虞がある。
【００４５】
一方、内部回路用電源１４の電源電圧は、交流電源５０の交流電圧がコンバータ２０によって変換され、平滑コンデンサ２２に蓄積された直流電圧に基づいて生成される構成であるため、交流電源の遮断による電圧変化は、内部回路用電源１４よりも交流電圧検出回路３０の方が早く表れる。したがって、交流電源の遮断は、交流電圧検出回路３０によって早期に検出することができ、ＣＰＵ１６ａに瞬時的な電圧低下が生じる前に、ＣＰＵ１６ａに対する制御電圧の供給を確実に行うことができる。
【００４６】
＜実施の形態４＞
図４は、本発明の実施の形態４にかかるインバータ装置用コネクタの構成を示す図である。図４において、インバータ装置１０Ｂは、標準的なインバータ装置であり、図１に示す構成から、供給制御回路１８を除いた各構成部を有している。なお、インバータ装置１０Ｂでは、図示のように、通信信号用入出力端子６２Ｔ、電源端子６４Ｔおよび制御端子６６Ｔを備えている。
【００４７】
また、図４に示す構成では、実施の形態４にかかるインバータ装置用コネクタを具現するコネクタ４０の構成が示されている。コネクタ４０は、通信信号用入出力端子７０Ｔ，７６Ｔ、電源端子７２Ｔ，７８Ｔ、および制御端子７４Ｔを備えるとともに、電源端子７２Ｔ，７８Ｔの間に、例えばＳＷ素子４２ａである供給制御回路４２を有している。なお、ＳＷ素子４２ａは、図１などに示したＳＷ素子１８ａと同等の機能を有するものである。
【００４８】
実施の形態４にかかるインバータ装置用コネクタを用いるようにすれば、このインバータ装置用コネクタの各端子を通信信号線２６、電源線２３ａ、制御線２３ｂおよび外部の共通信号線、共通電源線に接続することにより、インバータ装置側に特別な機能を設けることなく、実施の形態１、２に示した機能の実現が可能となる。すなわち、実施の形態４にかかるインバータ装置用コネクタを用いることにより、インバータ装置に商用電源が接続できない場合や、当該インバータ装置内の制御電源が遮断状態であっても、制御部や周辺機器に対する電源供給が可能となる。
【００４９】
なお、コネクタ４０に入力部、表示部を有する操作パネル等を接続するようにすれば、インバータ装置を操作することなく、外部からの遠隔操作ができるように構成することも可能である。
【００５０】
以上説明したように、この実施の形態のインバータ装置用コネクタによれば、インバータ装置内の通信回路との電気的接続がなされる第１の通信端子（通信信号用入出力端子７０Ｔ）と、内部回路用電源との電気的接続がなされる第１の電源端子（電源端子７２Ｔ）および制御端子（制御端子７４Ｔ）と、外部通信線との接続用として設けられた第２の通信端子（通信信号用入出力端子７６Ｔ）と、外部制御電源線との接続用として設けられた第２の電源端子（電源端子７８Ｔ）とが設けられ、第１の電源端子と第２の電源端子との間に接続される供給制御回路４２は、制御端子を通じて入力された制御信号に基づき、交流電源からの電力が供給されていないときには、外部制御電源線から第２の電源端子を通じて入力された制御電源電圧を第１の電源端子を通じてインバータ装置に供給するように動作し、交流電源からの電力が供給されているときには、インバータ装置から第１の電源端子を通じて入力された内部回路用電源が生成した制御電源電圧を第２の電源端子を通じて外部に供給するように動作するので、インバータ装置に対し、交流電源が接続できない場合や、インバータ装置内部の制御電源が遮断状態であっても、インバータ装置に対する制御電源の供給が可能となる。
【産業上の利用可能性】
【００５１】
以上のように、本発明にかかるインバータ装置、インバータシステムおよびインバータ装置用コネクタは、商用電源が接続できず、自己の制御電源が遮断状態においても、ＣＰＵや周辺機器に対する電源供給を可能とする発明として有用である。
【図面の簡単な説明】
【００５２】
【図１】本発明の実施の形態１にかかるインバータ装置の構成を示す図である。
【図２】本発明の実施の形態２にかかるインバータシステムの構成を示す図である。
【図３】本発明の実施の形態３にかかるインバータ装置の構成を示す図である。
【図４】本発明の実施の形態４にかかるインバータ装置用コネクタの構成を示す図である。
【符号の説明】
【００５３】
１０，１０ａ，１０ｂ，１０ｃ，１０Ａ，１０Ｂ  インバータ装置
１２  主回路
１２ａ  ＳＷ素子回路
１２ｂ  ＳＷ素子制御回路
１４  内部回路用電源
１４ａ  トランス
１４ｂ  電源制御部
１４ｃ  主回路電源
１４ｄ  制御回路電源
１４ｅ  供給制御回路電源
１４ｆ，４２ａ  ＳＷ素子
１６  制御回路
１６ａ  ＣＰＵ
１６ｂ  メモリ
１６ｃ  通信回路
１８，４２  供給制御回路
１８ａ  ＳＷ素子
１８ａａ  ＦＥＴ
１８ａｂ  ダイオード
２０  コンバータ
２２  平滑コンデンサ
２３ａ  電源線
２３ｂ  制御線
２４  共通制御電源線
２５ａ，２５ｂ，２７ａ，２７ｂ  矢印線
２６  通信信号線
２８ａ〜２８ｃ  制御電源線
２９ａ〜２９ｃ  通信線
３０  交流電圧検出回路
３２  絶縁回路
４０  コネクタ
５０，５０ａ，５０ｂ，５０ｃ  交流電源
５２  モータ
５４  交流遮断スイッチ
６２Ｔ，７０Ｔ，７６Ｔ  通信信号用入出力端子
６４Ｔ，７２Ｔ，７８Ｔ  電源端子
６６Ｔ，７４Ｔ  制御端子
【図１】
0005188266.tif 000002
【図２】
0005188266.tif 000003
【図３】
0005188266.tif 000004
【図４】
0005188266.tif 000005